(57)【要約】【課題】貼付時に偏光フィルムのシート片が振動することを抑制して貼付気泡の発生を防ぐことを目的とする。【解決手段】光学表示パネルの連続製造方法は、貼付工程におけるシート片の貼付処理の貼付開始から貼付終了までの間において、貼付処理の貼付速度が、剥離工程で剥離される、キャリアフィルム搬送部によるキャリアフィルムの搬送速度より速く、かつ、貼付位置から剥離部の先端部までの間で、シート片に生じた撓みがなくなるように、貼付速度およびキャリアフィルムの搬送速度を設定し、および貼付処理の貼付開始から貼付終了までの間において、貼付位置から剥離部の先端部までの距離（Ｌ）が、剥離部の先端部からキャリアフィルムが折り返された部分である屈曲部までの距離（Ｌｓ）より長くなるように、貼付処理の貼付速度が、キャリアフィルム搬送部によるキャリアフィルムの搬送速度よりも速くなるように制御する速度制御工程を有する。【選択図】図２Ａ
2013222036.tif 000002
【特許請求の範囲】
【請求項１】
粘着剤を介して偏光フィルムのシート片が形成されているキャリアフィルムをキャリアフィルム搬送部で搬送するキャリアフィルム搬送工程と、前記キャリアフィルム搬送工程により搬送されたキャリアフィルムを内側にして先端で折り返して当該キャリアフィルムから偏光フィルムを粘着剤とともに剥離部で剥離する剥離工程と、前記剥離工程によりシート片が剥離されたキャリアフィルムを巻取部で巻き取る巻取工程と、光学セルを搬送しながら、前記剥離工程によりキャリアフィルムから剥離されたシート片を粘着剤を介して当該光学セルに貼付部で貼り付けて光学表示パネルを形成する貼付工程とを有する光学表示パネルの連続製造方法であって、
前記貼付工程における前記シート片の貼付処理の貼付開始から貼付終了までの間において、前記貼付処理の貼付速度が、前記剥離工程で剥離される、前記キャリアフィルム搬送部によるキャリアフィルムの搬送速度より速く、かつ、前記貼付位置から前記剥離部の先端部までの間で、前記シート片に生じた撓みがなくなるように、前記貼付速度および前記キャリアフィルムの搬送速度を設定し、および
前記貼付処理の貼付開始から貼付終了までの間において、前記貼付位置から前記剥離部の先端部までの距離（Ｌ）が、前記剥離部の先端部から前記キャリアフィルムが折り返された部分である屈曲部までの距離（Ｌｓ）より長くなるように、前記貼付処理の貼付速度が、前記キャリアフィルム搬送部による前記キャリアフィルムの搬送速度よりも速くなるように制御する速度制御工程を有する、光学表示パネルの連続製造方法。
【請求項２】
前記キャリアフィルム搬送部が、前記剥離部の搬送上流側に配置されて前記キャリアフィルムを搬送する上流側フィルム供給部または前記剥離部の搬送下流側に配置されて前記キャリアフィルムを搬送する下流側フィルム供給部を有し、
前記速度制御工程で、前記キャリアフィルムを搬送するために、前記上流側フィルム供給部または下流側フィルム供給部が駆動制御される、請求項１に記載の光学表示パネルの連続製造方法。
【請求項３】
前記上流側フィルム供給部がフィードロールを有して構成されている、または前記下流側フィルム供給部がフィードロールを有して構成されている、請求項２に記載の光学表示パネルの連続製造方法。
【請求項４】
粘着剤を介して偏光フィルムのシート片が形成されているキャリアフィルムを搬送するキャリアフィルム搬送部と、前記キャリアフィルム搬送部により搬送されたキャリアフィルムを内側にして先端で折り返して当該キャリアフィルムからシート片を粘着剤とともに剥離する剥離部と、前記剥離部によりシート片が剥離されたキャリアフィルムを巻き取る巻取部と、光学セルを搬送しながら、前記剥離部でキャリアフィルムから剥離されたシート片を粘着剤を介して当該光学セルに貼り付けて光学表示パネルを形成する貼付部とを有する、光学表示パネルの連続製造システムであって、
前記貼付部による前記シート片の貼付処理の貼付開始から貼付終了までの間において、前記貼付処理の貼付速度が、前記剥離部で剥離される、前記キャリアフィルム搬送部によるキャリアフィルムの搬送速度より速く、かつ、前記貼付部の貼付位置から前記剥離部の先端部までの間で、貼付中の前記シート片に生じた撓みがなくなるように、前記貼付速度および前記キャリアフィルムの搬送速度を設定し、および
前記貼付処理の貼付開始から貼付終了までの間において、前記貼付部の貼付位置から前記剥離部の先端部までの距離（Ｌ）が、前記剥離部の先端部から前記キャリアフィルムが折り返された部分である屈曲部までの距離（Ｌｓ）より長くなるように、前記貼付部による貼付速度が、前記キャリアフィルム搬送部による前記キャリアフィルムの搬送速度よりも速くなるように制御する速度制御部を有する光学表示パネルの連続製造システム。
【請求項５】
前記キャリアフィルム搬送部が、前記剥離部の搬送上流側に配置されて前記キャリアフィルムを搬送する上流側フィルム供給部または前記剥離部の搬送下流側に配置されて前記キャリアフィルムを搬送する下流側フィルム供給部を有し、
前記速度制御部が、前記キャリアフィルムを搬送するために、前記上流側フィルム供給部または下流側フィルム供給部を駆動制御する、請求項４に記載の光学表示パネルの連続製造システム。
【請求項６】
前記上流側フィルム供給部がフィードロールを有して構成されている、または前記下流側フィルム供給部がフィードロールを有して構成されている、請求項５に記載の光学表示パネルの連続製造システム。
【発明の詳細な説明】
【技術分野】
【０００１】
本発明は、キャリアフィルムから剥離された偏光フィルムのシート片を粘着剤を介して光学セルに貼り付けて光学表示パネルを形成する光学表示パネルの連続製造方法および光学表示パネルの連続製造システムに関する。
【背景技術】
【０００２】
粘着剤を介して偏光フィルムのシート片が形成されているキャリアフィルムを内側にして剥離手段の先端で折り返して当該キャリアフィルムから偏光フィルムのシート片を粘着剤とともに剥離するとともに、剥離された偏光フィルムのシート片を粘着剤を介して光学セルに貼り付ける方法が知られている（特許文献１）。
【先行技術文献】
【特許文献】
【０００３】
【特許文献１】特開２００４−３６１７４１号公報
【発明の概要】
【発明が解決しようとする課題】
【０００４】
しかしながら、図７に示すように、キャリアフィルム７１２を剥離手段７４１を用いてその内側に折り返して剥離しながら、当該剥離された偏光フィルムのシート片７１４と光学セル７４０とを一対の貼付手段（７５０ａ，７５０ｂ）で挟んで貼り付ける方法の場合、例えば、貼付時にシート片７１４が振動して、貼付後の光学セル７４０に貼付気泡が発生し、画像表示不良の原因となるため改善が望まれていた。
【０００５】
本発明は、上記の実情に鑑みてなされたものであって、貼付時に偏光フィルムのシート片が振動することを抑制して貼付気泡の発生を防ぐことができる光学表示パネルの連続製造方法および光学表示パネルの連続製造システムを提供することを目的とする。
【課題を解決するための手段】
【０００６】
上記課題を解決するために、鋭意研究を重ねた結果、以下の本発明を完成するに至ったものである。
【０００７】
本発明は、粘着剤を介して偏光フィルムのシート片が形成されているキャリアフィルムをキャリアフィルム搬送部で搬送するキャリアフィルム搬送工程と、前記キャリアフィルム搬送工程により搬送されたキャリアフィルムを内側にして先端で折り返して当該キャリアフィルムから偏光フィルムを粘着剤とともに剥離部で剥離する剥離工程と、前記剥離工程によりシート片が剥離されたキャリアフィルムを巻取部で巻き取る巻取工程と、光学セルを搬送しながら、前記剥離工程によりキャリアフィルムから剥離されたシート片を粘着剤を介して当該光学セルに貼付部で貼り付けて光学表示パネルを形成する貼付工程とを有する光学表示パネルの連続製造方法であって、
前記貼付工程における前記シート片の貼付処理の貼付開始から貼付終了までの間において、前記貼付処理の貼付速度が、前記剥離工程で剥離される、前記キャリアフィルム搬送部によるキャリアフィルムの搬送速度より速く、かつ、前記貼付位置から前記剥離部の先端部までの間で、前記シート片に生じた撓みがなくなるように、前記貼付速度および前記キャリアフィルムの搬送速度を設定し、および
前記貼付処理の貼付開始から貼付終了までの間において、前記貼付位置から前記剥離部の先端部までの距離（Ｌ）が、前記剥離部の先端部から前記キャリアフィルムが折り返された部分である屈曲部までの距離（Ｌｓ）より長くなるように、前記貼付処理の貼付速度が、前記キャリアフィルム搬送部による前記キャリアフィルムの搬送速度よりも速くなるように制御する速度制御工程を有する。
【０００８】
この構成によって、キャリアフィルムから剥離された偏光フィルムのシート片の撓みをなくすことができるため、貼付時のシート片の振動を抑制でき、貼付気泡の発生を防ぐことができる。
【０００９】
本発明において、キャリアフィルム搬送部は、巻取部を含まない構成、あるいは巻取部を一部に含む構成である。
【００１０】
上記発明において、前記キャリアフィルム搬送部が、前記剥離部の搬送上流側に配置されて前記キャリアフィルムを搬送する上流側フィルム供給部または前記剥離部の搬送下流側に配置されて前記キャリアフィルムを搬送する下流側フィルム供給部を有し、
前記速度制御工程で、前記キャリアフィルムを搬送するために、前記上流側フィルム供給部または下流側フィルム供給部が駆動制御されることが好ましい。また、前記キャリアフィルム搬送部が、上流側フィルム供給部および下流側フィルム供給部の両方を有し、前記速度制御部が、前記キャリアフィルムを搬送するために、前記上流側フィルム供給部および下流側フィルム供給部を駆動制御してもよい。
【００１１】
また、前記上流側フィルム供給部がフィードロールを有して構成されていることが好ましい。また前記下流側フィルム供給部がフィードロールを有して構成されていることが好ましい。
【００１２】
また、他の本発明は、粘着剤を介して偏光フィルムのシート片が形成されているキャリアフィルムを搬送するキャリアフィルム搬送部と、前記キャリアフィルム搬送部により搬送されたキャリアフィルムを内側にして先端で折り返して当該キャリアフィルムからシート片を粘着剤とともに剥離する剥離部と、前記剥離部によりシート片が剥離されたキャリアフィルムを巻き取る巻取部と、光学セルを搬送しながら、前記剥離部でキャリアフィルムから剥離されたシート片を粘着剤を介して当該光学セルに貼り付けて光学表示パネルを形成する貼付部とを有する、光学表示パネルの連続製造システムであって、
前記貼付部による前記シート片の貼付処理の貼付開始から貼付終了までの間において、前記貼付処理の貼付速度が、前記剥離部で剥離される、前記キャリアフィルム搬送部によるキャリアフィルムの搬送速度より速く、かつ、前記貼付部の貼付位置から前記剥離部の先端部までの間で、貼付中の前記シート片に生じた撓みがなくなるように、前記貼付速度および前記キャリアフィルムの搬送速度を設定し、および
前記貼付処理の貼付開始から貼付終了までの間において、前記貼付部の貼付位置から前記剥離部の先端部までの距離（Ｌ）が、前記剥離部の先端部から前記キャリアフィルムが折り返された部分である屈曲部までの距離（Ｌｓ）より長くなるように、前記貼付部による貼付速度が、前記キャリアフィルム搬送部による前記キャリアフィルムの搬送速度よりも速くなるように制御する速度制御部を有する。
【００１３】
この構成によって、キャリアフィルムから剥離された偏光フィルムのシート片の撓みをなくすことができるため、貼付時のシート片の振動を抑制でき、貼付気泡の発生を防ぐことができる。本発明において、キャリアフィルム搬送部は巻取部と異なる構成である。
【００１４】
上記発明において、前記キャリアフィルム搬送部が、前記剥離部の搬送上流側に配置されて前記キャリアフィルムを搬送する上流側フィルム供給部または前記剥離部の搬送下流側に配置されて前記キャリアフィルムを搬送する下流側フィルム供給部を有し、前記速度制御部が、前記キャリアフィルムを搬送するために、前記上流側フィルム供給部または下流側フィルム供給部を駆動制御することが好ましい。また、前記キャリアフィルム搬送部が、上流側フィルム供給部および下流側フィルム供給部の両方を有し、前記速度制御部が、前記キャリアフィルムを搬送するために、前記上流側フィルム供給部および下流側フィルム供給部を駆動制御してもよい。
【００１５】
また、前記上流側フィルム供給部がフィードロールを有して構成されていることが好ましい。また前記下流側フィルム供給部がフィードロールを有して構成されていることが好ましい。
【００１６】
前記上流側フィルム供給部のフィードロールは、第１ロールとこの第１ロールと対向して配置される第２ロールとを有し、第１ロールと第２ロールとの間にキャリアフィルム（例えば、シート片が形成された状態のキャリアフィルム）を挟持しながら、第１、第２ロールが回転しキャリアフィルムを搬送する構成が例示される。第１ロール、第２ロールのいずれか一方が駆動ロールでもよく、両方が駆動ロールでもよい。
【００１７】
前記下流側フィルム供給部のフィードロールは、第１ロールとこの第１ロールと対向して配置される第２ロールとを有し、第１ロールと第２ロールとの間にキャリアフィルム（例えば、シート片が剥離部で剥離された状態のキャリアフィルム）を挟持しながら、第１、第２ロールが回転しキャリアフィルムを搬送する構成が例示される。第１ロール、第２ロールのいずれか一方が駆動ロールでもよく、両方が駆動ロールでもよい。
【００１８】
上記発明において、前記貼付部が、前記シート片を前記光学セル面に押圧する貼付ロールと、該貼付ロールに対向して配置される受けロールとを有し、該貼付ロールと該受けロールとの間に該シート片と該光学セルとを挟持しつつ搬送しながら、該光学セル面に該シート片を貼り付け、前記速度制御部が、前記貼付ロールおよび／または前記受けロールを駆動制御することが好ましい。
【００１９】
貼付速度は、キャリアフィルムから剥離されたシート片が貼付位置に送られて、光学セルに貼り付けられるときの単位時間当たりの移動速度である。例えば、貼付ロールおよび受けロールでシート片を光学セルに貼り付けるときのシート片および光学セルの移動速度（搬送速度）に対応する。キャリアフィルムの搬送速度は、キャリアフィルムがキャリアフィルム搬送部で搬送されるときの単位時間当りの移動速度である。
【００２０】
本発明の光学表示パネルの連続製造方法および光学表示パネルの連続製造システムは、以下の作用をするものと推測される。偏光フィルムのシート片先端が貼付部の貼付位置に送りこまれる際に、シート片先端部はキャリアフィルムが剥離されているために不安定となっていて撓みやすく、貼付開始直後においては、撓みが生じやすい、この撓みが生じることで、貼付中にシート片が振動しやすくなり貼付気泡発生の原因になる。また、撓みがない状態であっても、貼付速度よりキャリアフィルムの搬送速度が大きいと撓みが発生する可能性があるため、これを防ぐ必要がある。図１Ａ、１Ｂに、貼付速度とキャリアフィルムの搬送速度に差がある場合に撓みが発生するメカニズムを示す。図１Ａは、キャリアフィルム１２の搬送速度Ｖｓ（ｔ）が貼付速度Ｖｈ（ｔ）より大きい場合を示し、貼付位置Ｐ１から剥離部４０の先端部４０ａまでの間で、偏光フィルムのシート片１３が撓みやすく、振動が生じやすい。図１Ａにおけるキャリアフィルム１２の折り返し屈曲部１２ａは、剥離部４０の先端部４０ａに外周に沿って形成されている。一方、図１Ｂは、貼付速度Ｖｈ（ｔ）がキャリアフィルムの搬送速度Ｖｓ（ｔ）より大きい場合を示し、キャリアフィルム１２の折り返し屈曲部１２ａが剥離部４０の先端部４０ａよりも突出して形成され、キャリアフィルム１２が剥離部４０から浮いた状態になる。このとき、シート片１３は撓んだり、振動することなく貼付け可能となる。
【００２１】
本発明の速度制御部はキャリアフィルム搬送速度（キャリアフィルム搬送部による搬送速度）および貼付部の貼付速度をそれぞれ制御し、貼付速度（Ｖｈ（ｔ））をキャリアフィルムの搬送速度（Ｖｓ（ｔ））より大きくすることで、貼付初期にシート片に発生した撓みを解消し、かつ貼付部の貼付位置から剥離部の先端部までの間で、シート片に生じた撓みがなくなるように、貼付速度（Ｖｈ（ｔ））およびキャリアフィルムの搬送速度（Ｖｓ（ｔ））を設定することで、貼付中にも発生する可能性のあるシート片の撓みをなくすことができる。
【００２２】
本発明の「前記貼付処理の貼付開始から貼付終了までの間において、前記貼付処理の貼付速度（Ｖｈ（ｔ））が、前記剥離工程で剥離される前記キャリアフィルムの搬送速度（Ｖｓ（ｔ））より速く（Ｖｈ（ｔ）＞Ｖｓ（ｔ））、かつ、前記貼付位置から前記剥離部の先端部までの間で、前記シート片に生じた撓みがなくなるように、前記貼付速度（Ｖｈ（ｔ））および前記帯状キャリアフィルムの搬送速度（Ｖｓ（ｔ））を設定」するとの条件は、以下の条件式（１）で示すことができる。
＜条件式１＞
∫０ｔ  Ｖｈ（ｔ）ｄｔ−∫０ｔ  Ｖｓ（ｔ）ｄｔ＝Ｌｆ−Ｌ  ・・・（１）
条件式（１）を満たすｔが０＜ｔ＜Ｔの範囲にあること。
【００２３】
上記条件式（１）において、Ｌは貼付位置Ｐ１から剥離部４０の先端部４０ａまでの直線距離［ｍｍ］、ｔは時間［秒］、Ｖｈ（ｔ）は貼付速度［ｍｍ／秒］、Ｖｓ（ｔ）はキャリアフィルムの搬送速度［ｍｍ／秒］、Ｔは貼付時間（期間）［秒］である。Ｌｆは、貼付位置Ｐ１から剥離部４０の先端部４０ａまでの偏光フィルムのシート片の実際の長さであり、ビデオ装置で撮影した画像を解析することで長さＬｆを算出できる。
【００２４】
図２Ａは、上記条件式（１）を説明するための図である。この条件式（１）の左辺は貼付速度Ｖｈ（ｔ）とキャリアフィルム搬送速度Ｖｓ（ｔ）の速度差によって解消された撓み量を示している。条件式（１）の右辺は偏光フィルムのシート片の実際の撓み量を示している。貼付開始から、貼付終了までの間で撓みを解消する必要があるため、条件式（１）を満たすｔが０＜ｔ＜Ｔの範囲にあることが必要である。例えば、貼付開始から貼付終了までの時間（期間）をＴ、撓みがなくなる時の時間（時刻）をｔとすると、ｔ／Ｔ＝０．３以下にすることが好ましい。ｔ／Ｔ＝０．３以下は、貼付処理を複数回行ってＴ期間において偏光フィルムのシート片の撓みがなくなる時間（ｔ）を測定し、平均化して得ることができる。
【００２５】
また、光学フィルムの曲げに対する剛性（曲げ剛性）が小さいほど、偏光フィルムのシート片が撓みやすく、光学セルに貼付けた時に気泡が発生しやすい。本発明は、偏光フィルムの単位幅当たりの曲げ剛性が５Ｎ・ｍｍ２／ｍｍ以下の偏光フィルムに特に好適に用いられる。単位幅当たりの曲げ剛性（Ｅ×Ｉ）は材料の曲がりにくさを表す。Ｅは偏光フィルムの縦弾性率［Ｎ／ｍｍ２］、Ｉは単位幅当たりの断面二次モーメントを表し、Ｉ＝ｂ×ｈ３／１２である。ここでｂは単位幅［１ｍｍ］、ｈは偏光フィルムの厚み［ｍｍ］である。
【００２６】
図２Ａに示すように、さらに、本発明の速度制御部は、貼付部（５０ａ、５０ｂ）の貼付位置Ｐ１から剥離部４０の先端部４０ａまでの距離（Ｌ）が、剥離部４０の先端部４０ａからキャリアフィルム１２が折り返された部分である屈曲部１２ａまでの距離（Ｌｓ）より長くなるように、貼付部による貼付速度が、キャリアフィルム搬送部によるキャリアフィルムの搬送速度よりも速くなるように制御することで、キャリアフィルム１２の屈曲部１２ａが貼付部（５０ａ、５０ｂ）に巻き込まれることを防止する。
【００２７】
本発明の「貼付手段の貼付位置から剥離部の先端部までの距離（Ｌ）が、剥離部の先端部からキャリアフィルムが折り返された部分である屈曲部までの距離（Ｌｓ）より長くなるように」するとの条件は、以下の条件式（２）で示すことができる。
＜条件式２＞
２×Ｌ＞∫０Ｔ  ［Ｖｈ（ｔ）−Ｖｓ（ｔ）］ｄｔ  ・・・（２）
【００２８】
上記条件式（２）において、Ｌは貼付位置Ｐ１から剥離部４０の先端部４０ａまでの直線距離［ｍｍ］、ｔは時間［秒］、Ｖｈ（ｔ）は貼付速度［ｍｍ／秒］、Ｖｓ（ｔ）はキャリアフィルムの搬送速度［ｍｍ／秒］、Ｔは貼付時間（期間）［秒］である。
【００２９】
上記条件式（２）を満たすことで、Ｖｈ（ｔ）＞Ｖｓ（ｔ）の時に剥離部から浮いたキャリアフィルムが貼付部に巻き込まれないようにすることができる。
【００３０】
以上の条件式（１）および（２）を満たすことで、貼付中に偏光フィルムのシート片の撓みや振動を抑制でき、かつ貼付部へのキャリアフィルムの巻き込みを防止できる。
【図面の簡単な説明】
【００３１】
【図１Ａ】貼付時の偏光フィルムのシート片の撓み状態を説明するための図。
【図１Ｂ】貼付時のキャリアフィルムの撓み状態を説明するための図。
【図２Ａ】条件式（１）、（２）を説明するための図。
【図２Ｂ】条件式（１）を説明するための図。
【図３】光学表示パネルの連続製造システムの一例を示した概略図。
【図４Ａ】実施形態１の速度制御部の一例を示した概略図。
【図４Ｂ】実施形態２の速度制御部の一例を示した概略図。
【図５】剥離部と貼付部の一例を示した概略図。
【図６Ａ】実施例１の速度条件を示す図。
【図６Ｂ】比較例１の速度条件を示す図。
【図６Ｃ】比較例２の速度条件を示す図。
【図６Ｄ】比較例３の速度条件を示す図。
【図６Ｅ】比較例４の速度条件を示す図。
【図６Ｆ】比較例５の速度条件を示す図。
【図７】従来の貼付部による貼付時の偏光フィルムのシート片の振動状態の一例を示す図。
【発明を実施するための形態】
【００３２】
（偏光フィルムおよび連続ロール）
本実施形態において、偏光フィルムがキャリアフィルムに形成されている形態は特に制限されない。例えば、ロール状に巻かれた連続ロールで構成されていてもよい。連続ロールとしては、例えば、（１）キャリアフィルムと当該キャリアフィルム上に粘着剤を介して形成された偏光フィルムとを有する光学フィルム積層体をロール状に巻いたものが挙げられる。この場合、光学表示パネルの連続製造システムは、偏光フィルムから偏光フィルムのシート片を形成するために、キャリアフィルムを切断せずに残して、当該偏光フィルムおよび粘着剤を所定間隔に切断（ハーフカット）する切断手段を有する。この切断において、例えば、連続製造システム内の欠点検査装置の検査結果に基づいて、良品のシート片と、不良品のシート片を区別するように切断が行われてもよい。
【００３３】
また、連続ロールとして、例えば、（２）キャリアフィルムと当該キャリアフィルム上に粘着剤を介して形成された偏光フィルムのシート片とを有する光学フィルム積層体をロール状に巻いたもの（いわゆる切り目入り偏光フィルムの連続ロール）が挙げられる。
【００３４】
例えば、図３に示す第１連続ロール１は、第１キャリアフィルム１２と、第１キャリアフィルム１２に第１粘着剤を介して形成された第１偏光フィルム１３を有する第１光学フィルム積層体１１をロール状に巻いたものである。
【００３５】
偏光フィルムは、例えば、偏光子（厚さは１．５〜８０μｍ程度）と、偏光子の片面または両面に偏光子保護フィルム（厚さは一般的に１〜５００μｍ程度）が接着剤または接着剤なしで形成される。第１光学フィルム積層体１１を構成する他のフィルムとして、例えば、位相差フィルム（厚さは一般的に１０〜２００μｍ）、視角補償フィルム、輝度向上フィルム、表面保護フィルム等が挙げられる。光学フィルム積層体の厚みは、例えば、１０μｍ〜５００μｍの範囲が挙げられる。偏光フィルムとキャリアフィルムとの間に介在する粘着剤は、特に制限されず、例えば、アクリル系粘着剤、シリコーン系粘着剤、ウレタン系粘着剤等が挙げられる。粘着剤の層厚みは、例えば、１０〜５０μｍの範囲が好ましい。粘着剤とキャリアフィルムとの剥離力としては、例えば、０．１５（Ｎ／５０ｍｍ幅サンプル）が例示されるが、特にこれに限定されない。剥離力は、ＪＩＳ  Ｚ０２３７に準じて測定される。
【００３６】
キャリアフィルムは、例えばプラスチックフィルム（例えば、ポリエチレンテレフタレート系フィルム、ポリオレフィン系フィルム等）等の従来公知のフィルムを用いることができる。また、必要に応じシリコーン系や長鎖アルキル系、フッ素系や硫化モリブデン等の適宜な剥離剤でコート処理したものなどの、従来に準じた適宜なものを用いうる。  
【００３７】
光学表示パネルは、光学セルの片面または両面に少なくとも偏光フィルムのシート片が形成されたものであり、必要に応じて駆動回路が組込まれる。光学セルは、例えば、液晶セル、有機ＥＬセルが挙げられる。液晶セルは、例えば、垂直配向（ＶＡ）型、面内スイッチング（ＩＰＳ）型などの任意なタイプのものを用いることができる。図３に示す光学セル４は、対向配置される一対の基板（第１基板４１、第２基板４２）間に液晶層が封止された液晶セルである。
【００３８】
（実施形態１）
本実施形態に係る光学表示パネルの連続製造システムは、粘着剤を介して偏光フィルムのシート片が形成されているキャリアフィルムを搬送するキャリアフィルム搬送部と、前記キャリアフィルム搬送部により搬送されたキャリアフィルムを内側にして先端で折り返して当該キャリアフィルムからシート片を粘着剤とともに剥離する剥離部と、前記剥離部によりシート片が剥離されたキャリアフィルムを巻き取る巻取部と、光学セルを搬送しながら、前記剥離部でキャリアフィルムから剥離されたシート片を粘着剤を介して当該光学セルに貼り付けて光学表示パネルを形成する貼付部と、前記巻取部および前記貼付部の搬送速度を制御する速度制御部とを有する。
【００３９】
そして、速度制御部は、前記貼付部による前記シート片の貼付処理の貼付開始から貼付終了までの間において、前記貼付処理の貼付速度が、前記剥離部で剥離される、前記キャリアフィルム搬送部によるキャリアフィルムの搬送速度より速く、かつ、前記貼付部の貼付位置から前記剥離部の先端部までの間で、貼付中の前記シート片に生じた撓みがなくなるように、前記貼付速度および前記キャリアフィルムの搬送速度を設定し、および、前記貼付処理の貼付開始から貼付終了までの間において、前記貼付部の貼付位置から前記剥離部の先端部までの距離（Ｌ）が、前記剥離部の先端部から前記キャリアフィルムが折り返された部分である屈曲部までの距離（Ｌｓ）より長くなるように、前記貼付部による貼付速度が、前記キャリアフィルム搬送部による前記キャリアフィルムの搬送速度よりも速くなるように制御する。以下、図３〜５を参照しながら、本実施形態に係る光学表示パネルの連続製造システムおよび光学表示パネルの連続製造方法をさらに具体的に説明するが、本発明は本実施形態の態様に限定されるものではない。
【００４０】
光学表示パネルの連続製造システムは、第１キャリアフィルム搬送部１０１と、第１光学セル搬送部１０２と、第１貼付部１０３（第１貼付ロール５０ａ、第１駆動ロール５０ｂ）と、第２光学セル搬送部１０４と、第２キャリアフィルム搬送部と、第２貼付部（第２貼付ロール、第２駆動ロール）と、光学表示パネル搬送部とを有する。本実施形態では、光学セルの上側から偏光フィルムのシート片を貼り付けて、次いで、シート片を貼り付けた光学セルを反転（裏表反転、必要に応じて９０°旋回）させて、当該光学セルの上側から偏光フィルムのシート片を貼り付けているが、光学セルの下側からシート片を貼り付け、光学セルを反転させて、光学セルの下側からシート片を貼り付けてもよく、光学セルの上側からシート片を貼り付け、光学セルを反転させないで、光学セルの下側からシート片を貼り付けてもよく、光学セルの下側からシート片を貼り付け、光学セルを反転させないで、光学セルの上側からシート片を貼り付けてもよい。
【００４１】
（第１光学セル搬送部）
第１光学セル搬送部１０２は、第１貼付部１０３に光学セル４を供給し搬送する。本実施形態では、第１光学セル搬送部１０２は、搬送ロール８０および吸着プレート等を有して構成される。搬送ロール８０を回転させることで、あるいは吸着プレートを移送させることで、光学セル４を製造ライン下流側へ搬送する。第１シート片１３の貼付処理において、第１光学セル搬送部１０２は、後述する第１速度制御部１１０に制御され、光学セル４を貼付部の貼付位置に搬送する。
【００４２】
（第１キャリアフィルム搬送部）
第１キャリアフィルム搬送部１０１は、第１連続ロール１から第１光学フィルム積層体１１を繰り出し、第１偏光フィルムおよび粘着剤を所定間隔で切断して第１偏光フィルムのシート片（第１シート片）１３を第１キャリアフィルム１２上に形成し、第１剥離部４０の先端で第１キャリアフィルム１２を内側にして折り返して、第１キャリアフィルム１２から第１シート片１３および粘着剤を剥離し、第１貼付部１０３に供給する。そのために、第１キャリアフィルム搬送部１０１は、第１切断部２０、第１ダンサーロール３０、第１剥離部４０、上流側フィルム供給部９０、第１巻取部６０を有する。
【００４３】
第１切断部２０は、吸着部２１で第１キャリアフィルム１２側から第１光学フィルム積層体１１を固定しておいて、第１偏光フィルムおよび粘着剤を切断し、第１キャリアフィルム１２上に第１シート片１３を形成する。第１切断部２０としては、例えばカッター、レーザー装置などが挙げられる。
【００４４】
第１ダンサーロール３０は、第１キャリアフィルム１２の張力を保持する機能を持つ。第１ダンサーロール３０は、後述する上流側フィルム供給部９０と第１剥離部４０との間に位置している。第１ダンサーロール３０は、貼付最中の第１シート片１３が第１キャリアフィルム１２から離脱（剥離完了）した後に、第１剥離部４０の先端（剥離点）から張り出した状態の第１キャリアフィルム１２を自動的に上流側に戻す（第１キャリアフィルム１２が張り出し分の距離Ｌｓを無くす）。
【００４５】
上流側フィルム供給部９０は、不図示のモータで回転駆動される第１ロール９０ａとこの第１ロール９０ａと対向して配置され、第１ロール９０ａに向かって不図示の付勢手段（例えば、圧縮バネ、板バネなど）で押し付けられる第２ロール９０ｂとを有するフィードロールで構成され、第１剥離部４０より搬送上流側に配置される（図４Ａ参照）。第１ロール９０ａと第２ロール９０ｂとの間に第１キャリアフィルム１２（シート片１３が形成された状態の第１キャリアフィルム１２）が挟持され、第１ロール９０ａが回転することで、第２ロール９０ｂが従動して回転し、第１キャリアフィルム１２を下流側の第１剥離部４０へ搬送する。第１シート片１３の貼付過程において、上流側フィルム供給部９０による第１キャリアフィルム１２の搬送速度Ｖｓ（ｔ）は、後述する第１速度制御部１１０によって制御される。
【００４６】
上流側フィルム供給部９０（フィードロール）を構成する第１ロール９０ａと第２ロール９０ｂに使用される材質として、例えば、金属、ゴム、樹脂が挙げられる。これら材質は、ロール全体に使用されていてもよく、少なくともロール外表面に構成されていてもよい。
【００４７】
なお、別実施形態として、上流側フィルム供給部９０は、フィードロールに代えてサクションロールで構成され、サクションロールで第１キャリアフィルム１２を吸引搬送する構成でもよい。
【００４８】
第１剥離部４０は、光学セル４に第１シート片１３を貼り付ける場合に、その先端で第１キャリアフィルム１２を内側にして折り返して、第１キャリアフィルム１２から第１シート片１３および粘着剤を剥離する。本実施形態では、第１剥離部４０としては、先端に先鋭ナイフエッジ部を用いているが、これに限定されるものではない。
【００４９】
第１巻取部６０は、第１シート片１３および粘着剤が剥離された第１キャリアフィルム１２を巻き取る。第１シート片１３の貼付過程において、第１巻取部６０は、後述する第１速度制御部１１０によって制御される。
【００５０】
（第１貼付部）
第１貼付部１０３は、第１光学セル搬送部１０２により供給された光学セル４の上側から第１キャリアフィルム搬送部１０１により供給された第１シート片１３を粘着剤を介して貼り付ける。本実施形態では、第１貼付部１０３は、第１貼付ロール５０ａ、第１駆動ロール５０ｂ（受けロールに相当する）で構成される。第１駆動ロール５０ｂは、不図示のモータによって回転駆動される。第１シート片１３の貼付過程において、第１駆動ロール５０ｂの回転速度は、貼付速度Ｖｈ（ｔ）に相当し、第１駆動ロール５０ｂは、後述する速度制御部１１０によって制御される。なお、第１駆動ロール５０ｂの駆動に応じて、第１貼付ロール５０ａが従動する機構であるが、これに制限されず、駆動と従動が逆の機構でもよく、両方が駆動機構であってもよい。
【００５１】
（第１速度制御部）
第１速度制御部１１０は、上流側フィルム供給部９０（駆動側の第１ロール９０ａ）および第１駆動ロール５０ｂのそれぞれの回転速度を制御して、第１シート片１３の貼付過程における、第１キャリアフィルム１２の搬送速度、光学セル４にシート片１３を貼り付ける貼付速度を制御する。第１速度制御部１１０は、第１巻取部６０の巻取速度も制御する。
【００５２】
第１速度制御部１１０は、第１条件として、貼付速度（Ｖｈ（ｔ））＞キャリアフィルム搬送速度（Ｖｓ（ｔ））、かつ、貼付位置Ｐ１から剥離部４０の先端部４０ａまでの間で、第１シート片１３に生じた撓みがなくなるように、貼付速度（Ｖｈ（ｔ））およびキャリアフィルム搬送速度（Ｖｓ（ｔ））を設定し、さらに、第２条件として、第１貼付部１０３（第１貼付ロール５０ａ、第１駆動ロール５０ｂ）の貼付位置Ｐ１から第１剥離部４０の先端部４０ａまでの距離（Ｌ）が、第１剥離部４０の先端部４０ａからキャリアフィルム１２が折り返された部分である屈曲部１２ａまでの距離（Ｌｓ）より長くなるように、第１貼付部１０３（第１貼付ロール５０ａ、第１駆動ロール５０ｂ）による貼付速度Ｖｈ（ｔ））が、上流側フィルム供給部９０によるキャリアフィルムの搬送速度（Ｖｓ（ｔ））よりも速くなるように制御する（図４Ａ、図５参照）。
【００５３】
第１速度制御部１１０は、上記Ｌ＞Ｌｓの条件を満足するために、上流側フィルム供給部９０の駆動側の第１ロール９０ａの回転速度を制御し、そして、第１巻取部６０の巻取ロール６０ａ（駆動側ロール）の回転速度、すなわち第１キャリアフィルム１２の巻取速度を制御する。第１速度制御部１１０は、上流側フィルム供給部９０によるキャリアフィルムの搬送速度が第１巻取部６０によるキャリアフィルムの巻取速度よりも速くなるように、第１ロール９０ａ、巻取ロール６０ａを制御する。
【００５４】
第１速度制御部１１０は、専用装置、専用回路で構成されていてもよく、コンピュータと上記各制御手順を実行するプログラムとの協働作用で構成されていてもよく、ファームウエアで構成されていてもよい。
【００５５】
（第２光学セル搬送部）
第２光学セル搬送部１０４は、第１貼付部１０３により第１シート片１３が貼り付けられた光学セル４を搬送して第２貼付部に供給する。第２光学セル搬送部１０４には、第１シート片１３が貼り付けられた光学セル４を９０°水平回転させる回転機構（不図示）と、第１シート片１３が貼り付けられた光学セル４を上下反転させる反転機構が備えられている。
【００５６】
前述したように、光学セル４の他方面に偏光フィルムのシート片を貼り付けるための各種手段は、上記で説明した各種手段、装置等を用いることができる。第２キャリアフィルム搬送部は、第１キャリアフィルム搬送部と同様の装置で構成でき、第２貼付部は、第１貼付部と同様の装置で構成できる。例えば、第２ダンサーロールは第１ダンサーロール３０と同様の装置で構成でき、第２巻取部は第１巻取部６０と同様の装置で構成でき、第２貼付ロールおよび第２駆動ロールは第１貼付ロール５０ａおよび第１駆動ロール５０ｂと同様の機構で構成できる。また、第２速度制御部は第１速度制御部１１０と同様の機能を有して構成される。
【００５７】
光学表示パネル搬送部（不図示）は、搬送ロールや吸着プレート等で構成でき、第２貼付部により作製された光学表示パネルＹを下流へ搬送する。また、搬送下流側に、光学表示パネルＹを検査するための検査装置が設置されていてもよい。この検査装置の検査目的、検査方法は特に制限されない。
【００５８】
（連続製造方法）
本実施形態に係る光学表示パネルの製造方法は、粘着剤を介して偏光フィルムのシート片が形成されているキャリアフィルムをキャリアフィルム搬送部で搬送するキャリアフィルム搬送工程と、前記キャリアフィルム搬送工程により搬送されたキャリアフィルムを内側にして先端で折り返して当該キャリアフィルムから偏光フィルムを粘着剤とともに剥離部で剥離する剥離工程と、前記剥離工程によりシート片が剥離されたキャリアフィルムを巻取部で巻き取る巻取工程と、光学セルを搬送しながら、前記剥離工程によりキャリアフィルムから剥離されたシート片を粘着剤を介して当該光学セルに貼付部で貼り付けて光学表示パネルを形成する貼付工程とを有する光学表示パネルの連続製造方法であって、
前記貼付工程における前記シート片の貼付処理の貼付開始から貼付終了までの間において、前記貼付処理の貼付速度が、前記剥離工程で剥離される、前記キャリアフィルム搬送部によるキャリアフィルムの搬送速度より速く、かつ、前記貼付位置から前記剥離部の先端部までの間で、前記シート片に生じた撓みがなくなるように、前記貼付速度および前記キャリアフィルムの搬送速度を設定し、および
前記貼付処理の貼付開始から貼付終了までの間において、前記貼付位置から前記剥離部の先端部までの距離（Ｌ）が、前記剥離部の先端部から前記キャリアフィルムが折り返された部分である屈曲部までの距離（Ｌｓ）より長くなるように、前記貼付処理の貼付速度が、前記キャリアフィルム搬送部による前記キャリアフィルムの搬送速度よりも速くなるように制御する速度制御工程を有する。
【００５９】
（第１貼付工程）
第１貼付工程は、第１連続ロールから繰り出し供給された第１偏光フィルムの第１シート片を、光学セルの第１基板に貼り付ける工程である。本実施形態では、第１キャリアフィルム１２と、第１キャリアフィルム１２上に形成された第１偏光フィルムとを有する第１光学フィルム積層体１１をロール状に巻いた第１連続ロール１から第１光学フィルム積層体１１を繰り出す。次いで、第１キャリアフィルム１２を残して（切断せずに）第１偏光フィルムおよび粘着剤を切断して、第１キャリアフィルム１２上に第１偏光フィルムの第１シート片１３を形成する。次いで、第１剥離部４０の先端で第１キャリアフィルム１２を内側に折り返し搬送して、第１キャリアフィルム１２から第１シート片１３および粘着剤を剥離する。次いで、第１キャリアフィルム１２が剥離された第１シート片１３を、粘着剤を介して光学セル４の第１基板に貼り付ける。
【００６０】
（第１速度制御工程）
第１速度制御工程は、前記貼付工程における第１シート片１３の貼付処理の貼付開始から貼付終了までの間において、前記貼付処理の貼付速度（Ｖｈ（ｔ））が、前記剥離工程で剥離される、前記キャリアフィルム搬送部による第１キャリアフィルム１２の搬送速度（Ｖｓ（ｔ））より速く（Ｖｈ（ｔ）＞Ｖｓ（ｔ））、かつ、前記貼付位置から剥離部４０の先端部４０ａまでの間で、第１シート片１３に生じた撓みがなくなるように、前記貼付速度（Ｖｈ（ｔ））および前記第１キャリアフィルム１２の搬送速度（Ｖｓ（ｔ））を設定し、および前記貼付処理の貼付開始から貼付終了までの間において、前記貼付位置から前記剥離部４０の先端部４０ａまでの距離（Ｌ）が、剥離部４０の先端部４０ａから第１キャリアフィルム１２が折り返された部分である屈曲部１２ａまでの距離（Ｌｓ）より長くなるように、貼付処理の貼付速度が、キャリアフィルム搬送部によるキャリアフィルムの搬送速度よりも速くなるように制御する。
【００６１】
また、本連続製造方法において、キャリアフィルム搬送工程は、キャリアフィルムの張力を保持可能に当該キャリアフィルムを搬送する工程を有している。本実施形態では、第１キャリアフィルム１２の張力を保持するために、第１ダンサーロール３０を用いている。
【００６２】
また、光学セル４の他方基板にも偏光フィルムを貼り付ける場合には、光学セルの回転および上下反転させる旋回工程を有する。旋回工程は、第１偏光フィルム１４が貼り付けられた光学セル４を９０°水平回転および上下反転させる工程である。なお、旋回工程として、光学セルの長辺と短辺の位置関係が逆転するように、前記長辺及び短辺のいずれとも平行でない１軸を中心に光学セルを反転させてもよい。そして、第２偏光フィルムのシート片を貼り付ける工程は、上記の第１貼付工程と同様であり、第２速度制御工程も上記の第１速度制御工程と同様である。
【００６３】
（実施形態２）
実施形態２は、上記実施形態１と異なる構成について説明する。実施形態２の第１キャリアフィルム搬送部１０１は、上流側フィルム供給部９０の代わりに、下流側フィルム供給部９５を備える。
【００６４】
下流側フィルム供給部９５は、不図示のモータで駆動される第１ロール９５ａとこの第１ロール９５ａと対向して配置され、第１ロール９５ａに向かって不図示の付勢手段（例えば、圧縮バネ、板バネなど）で押し付けられる第２ロール９５ｂとを有するフィードロールで構成され、第１剥離部４０より搬送下流側で第１巻取部６０より搬送上流側に配置される（図４Ｂ参照）。第１ロール９５ａと第２ロール９５ｂとの間に第１キャリアフィルム１２（シート片１３が剥離された後の第１キャリアフィルム１２）が挟持され、第１ロール９５ａが回転することで、第２ロール９５ｂが従動して回転し、第１キャリアフィルム１２を搬送下流側の第１巻取部６０へ搬送する。第１シート片１３の貼付過程において、下流側フィルム供給部９５による第１キャリアフィルム１２の搬送速度Ｖｓ（ｔ）は、上述と同様に第１速度制御部１１０によって制御される。
【００６５】
第１速度制御部１１０は、下流側フィルム供給部９５（駆動側の第１ロール９５ａ）および第１駆動ロール５０ｂのそれぞれの回転速度を制御して、第１シート片１３の貼付過程における、第１キャリアフィルム１２の搬送速度、光学セル４にシート片１３を貼り付ける貼付速度を制御する。
【００６６】
第１速度制御部１１０は、第１条件として、貼付速度（Ｖｈ（ｔ））＞キャリアフィルム搬送速度（Ｖｓ（ｔ））、かつ、貼付位置Ｐ１から剥離部４０の先端部４０ａまでの間で、第１シート片１３に生じた撓みがなくなるように、貼付速度（Ｖｈ（ｔ））およびキャリアフィルム搬送速度（Ｖｓ（ｔ））を設定し、さらに、第２条件として、第１貼付部１０３（第１貼付ロール５０ａ、第１駆動ロール５０ｂ）の貼付位置Ｐ１から第１剥離部４０の先端部４０ａまでの距離（Ｌ）が、第１剥離部４０の先端部４０ａからキャリアフィルム１２が折り返された部分である屈曲部１２ａまでの距離（Ｌｓ）より長くなるように、第１貼付部１０３（第１貼付ロール５０ａ、第１駆動ロール５０ｂ）による貼付速度Ｖｈ（ｔ））が、下流側フィルム供給部９５によるキャリアフィルムの搬送速度（Ｖｓ（ｔ））よりも速くなるように制御する（図４Ｂ、図５参照）。
【００６７】
（実施形態３）
実施形態３は、上記実施形態１の上流側フィルム供給部９０と実施形態２の下流側フィルム供給部９５を両方備えた構成である。上流側フィルム供給部９０と下流側フィルム供給部９５の両方で、キャリアフィルムの搬送速度（Ｖｓ（ｔ））を制御する。上流と下流（第１剥離部４０を境とした上流と下流）の両方にフィルム供給部（フィードローラ）を配置することで、キャリアフィルムにテンションを掛けて搬送することが可能になる。例えば、下流側の供給速度（搬送速度）を上流側のそれよりも速くすることで、それらの間のキャリアフィルムにテンションを掛けることが可能になる。
【００６８】
（実施形態４）
実施形態４は、上記実施形態１の上流側フィルム供給部９０および第１巻取部６０とで第１キャリアフィルム１２（第１光学フィルム積層体１１）を搬送させる構成である。上流側フィルム供給部９０と第１巻取部６０の両方で、キャリアフィルムの搬送速度（Ｖｓ（ｔ））を制御する。この構成では、第１剥離部４０より搬送上流側にフィルム供給部（フィードローラ）を配置し、かつ第１剥離部４０より搬送下流側にフィルム巻取部を配置することで、キャリアフィルムにテンションを掛けて搬送することが可能になる。
【００６９】
（実施形態５）
実施形態５は、上記実施形態２の下流側フィルム供給部９５および第１巻取部６０とで第１キャリアフィルム１２（第１光学フィルム積層体１１）を搬送させる構成である。下流側フィルム供給部９５と第１巻取部６０の両方で、キャリアフィルムの搬送速度（Ｖｓ（ｔ））を制御する。
【００７０】
（別実施形態）
上記実施形態では、連続ロールから繰り出された光学フィルム積層体を所定間隔で切断（ハーフカット）するものであったが、本発明はとくにこの構成に制限されない。例えば、連続ロールから繰り出された光学フィルム積層体を欠点検査し、当該検査結果に基づいて欠点を避けるように切断（いわゆるスキップカット）してもよい。また、光学フィルム積層体に予め付された欠点情報を読み取り、当該欠点情報に基づいて欠点を避けるように切断してもよい。欠点情報は、欠点位置がわかるようにマーキングしたものでもよい。
【００７１】
また、第１および第２連続ロールの第１および第２偏光フィルムは予め切断されていてもよい。すなわち、第１および第２連続ロールとして、いわゆる切り目入り連続ロールを用いてもよい。この場合、第１切断部及び第２切断部が不要となるため、タクトタイムを短縮することができる。
【実施例】
【００７２】
図３、４Ａの連続製造システムで、偏光フィルムのシート片（日東電工株式会社製ＶＥＧ１７２４ＤＵ：４００×７００ｍｍ）を無アルカリガラスの光学セル（コーニング製：４０５×７１０ｍｍ）にその長辺側から貼り付けた。実施例および比較例では、貼付速度Ｖｈ（ｔ）およびキャリアフィルムの搬送速度（上流側フィルム供給部によるキャリアフィルム搬送速度）Ｖｓ（ｔ）をそれぞれ以下のように設定して貼り付けた。
【００７３】
実施例１は、貼付中の全領域でＶｈ（ｔ）＞Ｖｓ（ｔ）とした（０≦ｔ≦Ｔの範囲でＶｈ（ｔ）＞Ｖｓ（ｔ））。Ｔは貼付開始から貼付終了までの時間（期間）であって、以下同様である。実施例１の速度条件を図６Ａに示す。
【００７４】
比較例１は、貼付中の全領域でＶｈ（ｔ）＞Ｖｓ（ｔ）としたが、Ｖｈ（ｔ）とＶｓ（ｔ）の差が小さく、貼付終了までに偏光フィルムのシート片の撓みがなくならない条件とした。比較例１の速度条件を図６Ｂに示す。
【００７５】
比較例２は、貼付中のある領域でＶｈ（ｔ）≦Ｖｓ（ｔ）とし、それ以外の領域ではＶｈ（ｔ）＞Ｖｓ（ｔ）の差が小さく、貼付終了までに偏光フィルムのシート片の撓みがなくならない条件とした。（０＜ｔ＜Ｔ１の範囲でＶｈ（ｔ）＞Ｖｓ（ｔ）、０＜ｔ＜Ｔ１以外でＶｈ（ｔ）≦Ｖｓ（ｔ））。比較例２の速度条件を図６Ｃに示す。
【００７６】
比較例３は、貼付中の全領域でＶｈ（ｔ）＝Ｖｓ（ｔ）とした（０≦ｔ≦Ｔの範囲でＶｈ（ｔ）＝Ｖｓ（ｔ））。比較例３の速度条件を図６Ｄに示す。
【００７７】
比較例４は、貼付中の全領域でＶｈ（ｔ）＜Ｖｓ（ｔ）とした（０≦ｔ≦Ｔの範囲でＶｈ（ｔ）＜Ｖｓ（ｔ））。比較例４の速度条件を図６Ｅに示す。
【００７８】
比較例５は、貼付中のある領域でＶｈ（ｔ）＞Ｖｓ（ｔ）とし、それ以外の領域ではＶｈ（ｔ）＝Ｖｓ（ｔ）であり、貼付終了までに偏光フィルムのシート片の撓みがなくならない条件とした。（０＜ｔ＜Ｔ２の範囲でＶｈ（ｔ）＞Ｖｓ（ｔ）、０＜ｔ＜Ｔ２以外でＶｈ（ｔ）＝Ｖｓ（ｔ））。比較例５の速度条件を図６Ｆに示す。
【００７９】
（評価方法）
（１）貼付終了時における偏光フィルムの撓み、振動の有無を目視検査で評価した。
（２）貼付後における偏光フィルムのシート片と光学セル間の気泡の有無を目視検査評価し、気泡発生率を算出した。
（３）貼付後における位相差ムラの有無を目視検査評価し、位相差ムラ発生率を算出した。各評価方法における、評価数（Ｎ）は１００台とした。表１に評価結果を示す。
【００８０】
【表１】
2013222036.tif 000003
【００８１】
表１の結果からわかるように、実施例１の条件では、シート片の撓みや振動を無くすことができ、気泡や位相差ムラの不良発生をなくすことができた。一方、比較例１〜５の条件では、シート片の撓みや振動が起こり気泡不良が発生し、さらに比較例３および５の条件では位相差ムラの不良も発生した。また、上流側フィルム供給部９０の代わりに下流側フィルム供給部９５によってキャリアフィルム搬送速度を上記実施例、比較例と同様に制御した場合も同様の結果であった。
【符号の説明】
【００８２】
４                光学セル
１１              第１光学フィルム積層体
１２              第１キャリアフィルム
１３              第１シート片
３０              第１ダンサーロール
４０              第１剥離部
５０ａ、５０ａ    第１、第２貼付ロール
６０              第１巻取部
１０１            第１キャリアフィルム搬送部
１０２            第１光学セル搬送部
１０３            第１貼付部
１１０            第１速度制御部
Ｙ                光学表示パネル
【図１Ａ】
2013222036.tif 000004
【図１Ｂ】
2013222036.tif 000005
【図２Ａ】
2013222036.tif 000006
【図２Ｂ】
2013222036.tif 000007
【図３】
2013222036.tif 000008
【図４Ａ】
2013222036.tif 000009
【図４Ｂ】
2013222036.tif 000010
【図５】
2013222036.tif 000011
【図６Ａ】
2013222036.tif 000012
【図６Ｂ】
2013222036.tif 000013
【図６Ｃ】
2013222036.tif 000014
【図６Ｄ】
2013222036.tif 000015
【図６Ｅ】
2013222036.tif 000016
【図６Ｆ】
2013222036.tif 000017
【図７】
2013222036.tif 000018